(57)【要約】【課題】３Ｄ表示には現れない端の画像部分等に写っている被写体の検索を容易に行えるようにする。【解決手段】複数の視点に対応する複数の撮像手段で撮影された視点別の複数の画像から、複数の本画像と複数のサムネイル画像を作成し記録する画像管理方法において、前記本画像は、前記視点別の複数の画像、前記視点別の複数の画像から切り出した共通の画像範囲を含む立体画像、及び、前記視点別の複数の画像を合成した全体画像であり、前記サムネイル画像は、前記視点別の複数の画像それぞれに対応する複数の視点別サムネイル画像、前記立体画像に対応する立体サムネイル画像、及び、前記全体画像に対応する全体サムネイル画像であることを特徴とする画像管理方法。【選択図】  図１
2008167066.tif 000002
【特許請求の範囲】
【請求項１】
複数の視点に対応する複数の撮像手段で撮影された視点別の複数の画像から、複数の本画像と複数のサムネイル画像を作成し記録する画像管理方法において、
前記本画像は、前記視点別の複数の画像、前記視点別の複数の画像から切り出した共通の画像範囲を含む立体画像、及び、前記視点別の複数の画像を合成した全体画像であり、
前記サムネイル画像は、前記視点別の複数の画像それぞれに対応する複数の視点別サムネイル画像、前記立体画像に対応する立体サムネイル画像、及び、前記全体画像に対応する全体サムネイル画像であることを特徴とする画像管理方法。
【請求項２】
前記全体画像とともに、該全体画像中の前記視点別の複数の画像の範囲、又は、前記全体画像中の前記立体画像の範囲を識別させるための表示を表示することを特徴とする請求項１に記載の画像管理方法。
【請求項３】
前記視点別の複数の画像のうちの少なくとも一つの画像とともに、該一つの画像中の前記立体画像の範囲を識別させるための表示を表示することを特徴とする請求項１に記載の画像管理方法。
【請求項４】
複数の視点に対応する複数の撮像手段を備えた複眼デジタルカメラにおいて、
前記複数の撮像手段で撮影された視点別の複数の画像、前記視点別の複数の画像から切り出した共通の画像範囲を含む立体画像、及び前記視点別の複数の画像を合成した全体画像を本画像として作成するとともに、前記視点別の複数の画像それぞれに対応する複数の視点別サムネイル画像、前記立体画像に対応する立体サムネイル画像、及び、前記全体画像に対応する全体サムネイル画像を作成する作成手段と、
前記視点別サムネイル画像、前記立体サムネイル画像、又は前記全体サムネイル画像のうちの少なくとも一つの種類に属するサムネイル画像を表示するサムネイル画像表示手段と、
前記表示手段により表示されるサムネイル画像の種類を切り替える切替手段と、
前記表示手段により表示されるサムネイル画像の中から所望のサムネイル画像を選択させる選択手段と、
前記選択手段により選択されたサムネイル画像に対応する本画像を表示する本画像表示手段と、
前記立体画像の範囲を編集する編集手段と、
前記編集後の立体画像に対応する立体サムネイル画像を作成し変更する立体サムネイル画像作成手段と、を備えることを特徴とする複眼デジタルカメラ。
【請求項５】
複数の視点に対応する複数の撮像手段で撮影された視点別の複数の画像から、複数の本画像と複数のサムネイル画像を作成し記録する画像管理方法において、
前記複数の撮像手段で撮影するステップ、
視点別の複数の画像、及び、前記視点別の複数の画像それぞれに対応する複数の視点別サムネイル画像を作成するステップ、
前記視点別の複数の画像に対して立体表示可能な画像の範囲を指定し、前記視点別の複数の画像から前記指定範囲に対応する画像を立体画像として切り出すとともに、該立体画像に対応する立体サムネイル画像を作成するステップ、
前記視点別の複数の画像を合成した全体画像、及び、前記全体画像に対応する全体サムネイル画像を作成するステップ、
前記各ステップで作成された、視点別の複数の画像、視点別サムネイル画像、立体画像、立体サムネイル画像、全体画像、及び全体サムネイル画像を、記録媒体に記録するステップ、
とを備えることを特徴とする画像管理方法。
【請求項６】
前記視点別サムネイル画像、前記立体サムネイル画像、又は前記全体サムネイル画像のうちの少なくとも一つの種類に属するサムネイル画像を読み出して表示するステップ、
前記表示されるサムネイル画像の種類を切り替えるステップ、
前記切り替えられた種類に属するサムネイル画像を読み出して表示するステップ、
前記表示されているサムネイル画像の中から所望のサムネイル画像を選択させるステップ、
前記選択されたサムネイル画像に対応する本画像を表示するステップ、
とを備えることを特徴とする画像再生方法。
【請求項７】
前記視点別サムネイル画像、前記立体サムネイル画像、又は前記全体サムネイル画像のうちの少なくとも一つの種類に属するサムネイル画像を読み出して表示するステップ、
前記表示されたサムネイル画像の中から編集するサムネイル画像を選択させるステップ、
前記選択されたサムネイル画像に対応する立体画像を表示するステップ、
前記表示された立体画像の範囲を編集するステップ、
前記編集後の立体画像に対応する立体サムネイル画像を作成し変更するステップ、
前記編集後の立体画像及び立体サムネイル画像を記録媒体に記録するステップ、
を備えることを特徴とする複眼デジタルカメラ。
【発明の詳細な説明】
【技術分野】
【０００１】
本発明は、デジタルカメラに係り、特に、複数の視点に対応する複数の撮像手段で撮影された視点別の複数の画像を管理する方法に関する。
【背景技術】
【０００２】
従来、２Ｄ画像データや視差を持った一組の画像である３Ｄ画像データを、画像種類等の管理情報やサムネイル画像とともに所定フォーマットで記録することが行われている（特許文献１等参照）。
【０００３】
一般に、立体、多視点画像においては、３Ｄ表示に不要な部分が表示されない場合がある。場合によっては、３Ｄ画像として必要な部分が編集で残り、３Ｄ表示に寄与しない部分の画像が捨てられることがあった。
【０００４】
その他、本願に関連すると思われるものとして、特許文献２から８がある。
【特許文献１】特開２００４−１２０１６５号公報
【特許文献２】特開２００４−１２０１７６号公報
【特許文献３】特開２００４−１２０２１６号公報
【特許文献４】特開２００４−１２０２２７号公報
【特許文献５】特開２００４−１２０２４６号公報
【特許文献６】特開２００４−１２０２４７号公報
【特許文献７】特開２００４−１６３９９８号公報
【特許文献８】特開２００４−３３６７０１号公報
【発明の開示】
【発明が解決しようとする課題】
【０００５】
しかしながら、場合によっては、３Ｄ表示に関係のない端の画像に目的の被写体が写っている場合もあり、３Ｄ画像のみではその目的の被写体を検索できないという問題がある。
【０００６】
本発明は、このような事情に鑑みてなされたものであり、３Ｄ表示には現れない端の画像部分等に写っている被写体の検索を容易に行えるようにすることを目的とする。
【課題を解決するための手段】
【０００７】
本発明は上記課題を解決するためになされたものであり、請求項１に記載の発明は、複数の視点に対応する複数の撮像手段で撮影された視点別の複数の画像から、複数の本画像と複数のサムネイル画像を作成し記録する画像管理方法において、前記本画像は、前記視点別の複数の画像、前記視点別の複数の画像から切り出した共通の画像範囲を含む立体画像、及び、前記視点別の複数の画像を合成した全体画像であり、前記サムネイル画像は、前記視点別の複数の画像それぞれに対応する複数の視点別サムネイル画像、前記立体画像に対応する立体サムネイル画像、及び、前記全体画像に対応する全体サムネイル画像であることを特徴とする。
【０００８】
請求項１に記載の発明によれば、複数の視点（例えば二つの視点）に対応する複数の撮像手段で撮影された視点別の複数の画像から、複数の本画像（二つの視点の場合、右視点の本画像、左視点の本画像、立体画像、及び、全体画像の合計四つの本画像）と複数のサムネイル画像（二つの視点の場合、右視点のサムネイル画像、左視点のサムネイル画像、立体サムネイル画像、及び、全体サムネイル画像の合計四つのサムネイル画像）を作成し例えば所定画像フォーマットの画像ファイルとして記録する。
【０００９】
すなわち、立体画像及び立体サムネイル画像以外の視点別の本画像及びサムネイル画像等も記録する。
【００１０】
したがって、従来のように、３Ｄ画像として必要な部分が編集で残り、３Ｄ表示に寄与しない部分の画像が捨てられたとしても、立体画像及び立体サムネイル画像以外の視点別の本画像及びサムネイル画像等を表示させることが可能であるから、３Ｄ表示には現れない端の画像部分等に写っている被写体の検索を容易に行うことが可能となる。
【００１１】
請求項２に記載の発明は、請求項１に記載の発明において、前記全体画像とともに、該全体画像中の前記視点別の複数の画像の範囲、又は、前記全体画像中の前記立体画像の範囲を識別させるための表示を表示することを特徴とする。
【００１２】
請求項２に記載の発明によれば、全体画像とともに（例えば全体画像に重畳させて）、全体画像中の視点別の複数の画像の範囲等を識別させるための表示（例えばカーソル）を表示する。
【００１３】
したがって、全体画像中の視点別の複数の画像の範囲や立体画像の範囲を容易に把握することが可能となる。
【００１４】
請求項３に記載の発明は、請求項１に記載の発明において、前記視点別の複数の画像のうちの少なくとも一つの画像とともに、該一つの画像中の前記立体画像の範囲を識別させるための表示を表示することを特徴とする。
【００１５】
請求項３に記載の発明によれば、視点別の複数の画像のうちの少なくとも一つの画像（例えば左視点の画像）とともに（例えば左視点の画像に重畳させて）、その一つの画像中の立体画像の範囲を識別させるための表示（例えばカーソル）を表示する。
【００１６】
したがって、視点別の複数の画像のうちの少なくとも一つの画像（例えば左視点の画像）中の立体画像の範囲を容易に把握することが可能となる。
【００１７】
請求項４に記載の発明は、複数の視点に対応する複数の撮像手段を備えた複眼デジタルカメラにおいて、前記複数の撮像手段で撮影された視点別の複数の画像、前記視点別の複数の画像から切り出した共通の画像範囲を含む立体画像、及び前記視点別の複数の画像を合成した全体画像を本画像として作成するとともに、前記視点別の複数の画像それぞれに対応する複数の視点別サムネイル画像、前記立体画像に対応する立体サムネイル画像、及び、前記全体画像に対応する全体サムネイル画像を作成する作成手段と、前記視点別サムネイル画像、前記立体サムネイル画像、又は前記全体サムネイル画像のうちの少なくとも一つの種類に属するサムネイル画像を表示するサムネイル画像表示手段と、前記表示手段により表示されるサムネイル画像の種類を切り替える切替手段と、前記表示手段により表示されるサムネイル画像の中から所望のサムネイル画像を選択させる選択手段と、前記選択手段により選択されたサムネイル画像に対応する本画像を表示する本画像表示手段と、前記立体画像の範囲を編集する編集手段と、前記編集後の立体画像に対応する立体サムネイル画像を作成し変更する立体サムネイル画像作成手段と、を備えることを特徴とする。
【００１８】
請求項４に記載の発明によれば、複数の本画像（二つの視点の場合、右視点の本画像、左視点の本画像、立体画像、及び、全体画像の合計四つの本画像）と複数のサムネイル画像（二つの視点の場合、右視点のサムネイル画像、左視点のサムネイル画像、立体サムネイル画像、及び、全体サムネイル画像の合計四つのサムネイル画像）を作成し例えば所定画像フォーマットの画像ファイルとして記録する。
【００１９】
すなわち、立体画像及び立体サムネイル画像以外の視点別の本画像及びサムネイル画像等も記録する。
【００２０】
したがって、従来のように、３Ｄ画像として必要な部分が編集で残り、３Ｄ表示に寄与しない部分の画像が捨てられたとしても、立体画像及び立体サムネイル画像以外の視点別の本画像及びサムネイル画像等を表示させることが可能であるから、３Ｄ表示には現れない端の画像部分等に写っている被写体の検索を容易に行うことが可能となる。
【００２１】
また、立体画像の範囲を編集する編集手段を備えているので、立体感の調整や主要被写体や背景等の良好な立体画像表示に悪影響を及ぼす領域を避けて、きれいな立体視が得られる（であろうと思われる）画像領域を編集することが可能となる。
【００２２】
請求項５に記載の発明は、複数の視点に対応する複数の撮像手段で撮影された視点別の複数の画像から、複数の本画像と複数のサムネイル画像を作成し記録する画像管理方法において、前記複数の撮像手段で撮影するステップ、視点別の複数の画像、及び、前記視点別の複数の画像それぞれに対応する複数の視点別サムネイル画像を作成するステップ、前記視点別の複数の画像に対して立体表示可能な画像の範囲を指定し、前記視点別の複数の画像から前記指定範囲に対応する画像を立体画像として切り出すとともに、該立体画像に対応する立体サムネイル画像を作成するステップ、前記視点別の複数の画像を合成した全体画像、及び、前記全体画像に対応する全体サムネイル画像を作成するステップ、前記各ステップで作成された、視点別の複数の画像、視点別サムネイル画像、立体画像、立体サムネイル画像、全体画像、及び全体サムネイル画像を、記録媒体に記録するステップ、とを備えることを特徴とする。
【００２３】
請求項５に記載の発明によれば、複数の視点（例えば二つの視点）に対応する複数の撮像手段で撮影された視点別の複数の画像から、複数の本画像（二つの視点の場合、右視点の本画像、左視点の本画像、立体画像、及び、全体画像の合計四つの本画像）と複数のサムネイル画像（二つの視点の場合、右視点のサムネイル画像、左視点のサムネイル画像、立体サムネイル画像、及び、全体サムネイル画像の合計四つのサムネイル画像）を作成し例えば所定画像フォーマットの画像ファイルとして記録する。
【００２４】
すなわち、立体画像及び立体サムネイル画像以外の視点別の本画像及びサムネイル画像等も記録する。
【００２５】
したがって、従来のように、３Ｄ画像として必要な部分が編集で残り、３Ｄ表示に寄与しない部分の画像が捨てられたとしても、立体画像及び立体サムネイル画像以外の視点別の本画像及びサムネイル画像等を表示させることが可能であるから、３Ｄ表示には現れない端の画像部分等に写っている被写体の検索を容易に行うことが可能となる。
【００２６】
請求項６に記載の発明は、前記視点別サムネイル画像、前記立体サムネイル画像、又は前記全体サムネイル画像のうちの少なくとも一つの種類に属するサムネイル画像を読み出して表示するステップ、前記表示されるサムネイル画像の種類を切り替えるステップ、前記切り替えられた種類に属するサムネイル画像を読み出して表示するステップ、前記表示されているサムネイル画像の中から所望のサムネイル画像を選択させるステップ、前記選択されたサムネイル画像に対応する本画像を表示するステップ、とを備えることを特徴とする。
【００２７】
請求項６に記載の発明によれば、視点別サムネイル画像（二つの視点の場合、右視点サムネイル画像、左視点サムネイル画像）、立体サムネイル画像、又は全体サムネイル画像のうちの少なくとも一つの種類に属するサムネイル画像を読み出して表示し、この表示されるサムネイル画像の種類を切り替え、所望のサムネイル画像を選択することでその選択したサムネイル画像の本画像を表示することが可能となる。
【００２８】
したがって、従来のように、３Ｄ画像として必要な部分が編集で残り、３Ｄ表示に寄与しない部分の画像が捨てられたとしても、立体サムネイル画像だけでなく、立体サムネイル画像以外の視点別サムネイル画像等も切り替えて表示させることが可能であるから、３Ｄ表示には現れない端の画像部分等に写っている被写体の検索を容易に行うことが可能となる。
【００２９】
請求項７に記載の発明は、前記視点別サムネイル画像、前記立体サムネイル画像、又は前記全体サムネイル画像のうちの少なくとも一つの種類に属するサムネイル画像を読み出して表示するステップ、前記表示されたサムネイル画像の中から編集するサムネイル画像を選択させるステップ、前記選択されたサムネイル画像に対応する立体画像を表示するステップ、前記表示された立体画像の範囲を編集するステップ、前記編集後の立体画像に対応する立体サムネイル画像を作成し変更するステップ、前記編集後の立体画像及び立体サムネイル画像を記録媒体に記録するステップ、を備えることを特徴とする。
【００３０】
請求項７に記載の発明によれば、立体画像の範囲を編集するステップ備えているので、立体感の調整や主要被写体や背景等の良好な立体画像表示に悪影響を及ぼす領域を避けて、きれいな立体視が得られる（であろうと思われる）画像領域を編集することが可能となる。
【発明の効果】
【００３１】
本発明によれば、３Ｄ表示には現れない端の画像部分等に写っている被写体の検索を容易に行うことが可能となる。
【発明を実施するための最良の形態】
【００３２】
以下、本発明の第一実施形態であるデジタルカメラ（撮影装置）について図面を参照しながら説明する。
【００３３】
図１は、本発明の第一実施形態であるデジタルカメラの外観構成を示す正面斜視図である。図２は、本発明の第一実施形態であるデジタルカメラの外観構成を示す背面斜視図である。
【００３４】
本実施形態のデジタルカメラ１０は、複数（図１では二つを例示）の撮像手段（撮像系ともいう）を備えたデジタルカメラ（本発明の複眼デジタルカメラに相当）であって、同一被写体を複数視点（図１では左右二つの視点を例示）から撮影可能となっている。
【００３５】
なお、本実施形態では、説明の便宜のため二つの撮像手段を例示しているが、本発明はこれに限定されない。三つ以上の撮像手段であっても同様に適用可能である。なお、撮像手段（主として撮影レンズ）の配置は、横一列でなくてもよく、二次元的に配置されていてもよい。立体撮影又はマルチ視点や全方向の撮影でもよい。
【００３６】
デジタルカメラ１０のカメラボディ１２は、矩形の箱状に形成されており、その正面には、図１に示すように、一対の撮影レンズ１４Ｒ、１４Ｌ、ストロボ１６等が設けられている。また、カメラボディ１２の上面には、シャッタボタン１８、電源／モードスイッチ２０、モードダイヤル２２等が設けられている。
【００３７】
一方、カメラボディ１２の背面には、図２に示すように、モニタ２４、ズームボタン２６、十字ボタン２８、ＭＥＮＵ／ＯＫボタン３０、ＤＩＳＰボタン３２、ＢＡＣＫボタン３４、マクロボタン３６等が設けられている。
【００３８】
また、図示されていないが、カメラボディ１２の底面には、三脚ネジ穴、開閉自在なバッテリカバー等が設けられており、バッテリカバーの内側には、バッテリを収納するためのバッテリ収納室、メモリカードを装着するためのメモリカードスロット等が設けられている。
【００３９】
左右一対の撮影レンズ１４Ｒ、１４Ｌは、それぞれ沈胴式のズームレンズで構成されており、マクロ撮影機能（近接撮影機能）を有している。この撮影レンズ１４Ｒ、１４Ｌは、それぞれデジタルカメラ１０の電源をＯＮすると、カメラボディ１２から繰り出される。
【００４０】
なお、撮影レンズにおけるズーム機構や沈胴機構、マクロ撮影機構については、公知の技術なので、ここでは、その具体的な構成についての説明は省略する。
【００４１】
ストロボ１６は、キセノン管で構成されており、暗い被写体を撮影する場合や逆光時などに必要に応じて発光される。
【００４２】
シャッタボタン１８は、いわゆる「半押し」と「全押し」とからなる二段ストローク式のスイッチで構成されている。デジタルカメラ１０は、静止画撮影時（例えば、モードダイヤル２２で静止画撮影モード選択時、又はメニューから静止画撮影モード選択時）、このシャッタボタン１８を半押しすると撮影準備処理、すなわち、ＡＥ（Automatic Exposure：自動露出）、ＡＦ（Auto Focus：自動焦点合わせ）、ＡＷＢ（Automatic White Balance：自動ホワイトバランス）の各処理を行い、全押すると、画像の撮影・記録処理を行う。また、動画撮影時（例えば、モードダイヤル２２で動画撮影モード選択時、又はメニューから動画撮影モード選択時）、このシャッタボタン１８を全押すると、動画の撮影を開始し、再度全押しすると、撮影を終了する。なお、設定により、シャッタボタン１８を全押している間、動画の撮影を行い、全押しを解除すると、撮影を終了するようにすることもできる。なお、静止画撮影専用のシャッタボタン及び動画撮影専用のシャッタボタンを設けるようにしてもよい。
【００４３】
電源／モードスイッチ２０は、デジタルカメラ１０の電源スイッチとして機能するとともに、デジタルカメラ１０の再生モードと撮影モードとを切り替える切替手段として機能し、「ＯＦＦ位置」と「再生位置」と「撮影位置」の間をスライド自在に設けられている。デジタルカメラ１０は、この電源／モードスイッチ２０を「再生位置」に位置させると、再生モードに設定され、「撮影位置」に位置させると、撮影モードに設定される。また、「ＯＦＦ位置」に位置させると、電源がＯＦＦされる。
【００４４】
モードダイヤル２２は、撮影モードの設定に用いられる。このモードダイヤル２２は、カメラボディ１２の上面に回転自在に設けられており、図示しないクリック機構によって、「２Ｄ静止画位置」、「２Ｄ動画位置」、「３Ｄ静止画位置」、「３Ｄ動画位置」にセット可能に設けられている。デジタルカメラ１０は、このモードダイヤル２２を「２Ｄ静止画位置」にセットすることにより、２Ｄの静止画を撮影する２Ｄ静止画撮影モードに設定され、２Ｄ／３Ｄモード切替フラグ１６８に、２Ｄモードであることを表すフラグが設定される。また、「２Ｄ動画位置」にセットすることにより、２Ｄの動画を撮影する２Ｄ動画撮影モードに設定され、２Ｄ／３Ｄモード切替フラグ１６８に、２Ｄモードであることを表すフラグが設定される。
【００４５】
また、「３Ｄ静止画位置」にセットすることにより、３Ｄの静止画を撮影する３Ｄ静止画撮影モードに設定され、２Ｄ／３Ｄモード切替フラグ１６８に、３Ｄモードであることを表すフラグが設定される。さらに、「３Ｄ動画位置」にセットすることにより、３Ｄの動画を撮影する３Ｄ動画撮影モードに設定され、２Ｄ／３Ｄモード切替フラグ１６８に、３Ｄモードであることを表すフラグが設定される。後述するＣＰＵ１１０は、この２Ｄ／３Ｄモード切替フラグ１６８を参照して、２Ｄモード又は３Ｄモードのいずれであるかを把握する。
【００４６】
モニタ２４は、かまぼこ状のレンズ群を有したいわゆるレンチキュラレンズが前面に配置されたカラー液晶パネル等の表示装置である。このモニタ２４は、撮影済み画像を表示するための画像表示部として利用されるとともに、各種設定時にＧＵＩとして利用される。また、撮影時には、撮像素子で捉えた画像がスルー表示され、電子ファインダとして利用される。
【００４７】
ここで、モニタ２４で立体視表示が可能となる仕組みについて図面を参照しながら説明する。
【００４８】
図２１は、モニタ２４で立体視表示が可能となる仕組みについて説明するための図である。モニタ２４の前面（観者の視点（左眼ＥL、右眼ＥR）が存在するｚ軸方向）には、レンティキュラレンズ２４ａが配置されている。レンティキュラ レンズ２４ａは、複数の円筒状凸レンズを図２１中ｘ軸方向に連ねることで構成される。
【００４９】
モニタ２４に表示される立体視画像の表示領域は、右眼用短冊画像表示領域２４Ｒと左眼用短冊画像表示領域２４Ｌとから構成されている。右眼用短冊画像表示領域２４Ｒ及び左眼用短冊画像表示領域２４Ｌは、それぞれ画面の図２１中ｙ軸方向に細長い短冊形状をしており、図２１中ｘ軸方向に交互に配置される。
【００５０】
レンティキュラレンズ２４ａの各凸レンズは、観者の所与の観察点を基準として、それぞれ一組の右眼用短冊画像表示領域２４Ｒ及び左眼用短冊画像表示領域２４Ｌを含む短冊集合画像表示領域２４ｃに対応した位置に形成される。
【００５１】
図２１では、観者の右眼ＥRには、レンティキュラ レンズ２４ａの光屈折作用により、モニタ２４の右眼用短冊画像表示領域２４Ｒに表示された右眼用短冊画像が入射される。また、観者の左眼ＥLには、レンティキュラ レンズ２４ａの光屈折作用により、モニタ２４の左眼用短冊画像表示領域２４Ｌに表示された左眼用短冊画像が入射される。したがって、観者の右眼は右眼用短冊画像のみを、観者の左眼は左眼用短冊画像のみを見ることになり、これら右眼用短冊画像の集合である右眼用画像及び左眼用短冊画像の集合である左眼用画像による左右視差により立体視が可能となる。
【００５２】
なお、モニタ２４は、液晶や有機ＥＬ等の二次元と三次元の両方が表示可能な表示素子を含む。自発光、あるいは別に光源があり光量を制御する方式であってもよい。また、偏光による方式やアナグリフ、裸眼式等、方式は問わない。また、液晶や有機ＥＬを多層に重ねた方式でもよい。
【００５３】
ズームボタン２６は、撮影レンズ１４Ｒ、１４Ｌのズーム操作に用いられ、望遠側へのズームを指示するズームテレボタンと、広角側へのズームを指示するズームワイドボタンとで構成されている。
【００５４】
十字ボタン２８は、上下左右４方向に押圧操作可能に設けられており、各方向のボタンには、カメラの設定状態に応じた機能が割り当てられる。たとえば、撮影時には、左ボタンにマクロ機能のＯＮ／ＯＦＦを切り替える機能が割り当てられ、右ボタンにストロボモードを切り替える機能が割り当てられる。また、上ボタンにモニタ２４の明るさを替える機能が割り当てられ、下ボタンにセルフタイマのＯＮ／ＯＦＦを切り替える機能が割り当てられる。また、再生時には、左ボタンにコマ送りの機能が割り当てられ、右ボタンにコマ戻しの機能が割り当てられる。また、上ボタンにモニタ２４の明るさを替える機能が割り当てられ、下ボタンに再生中の画像を削除する機能が割り当てられる。また、各種設定時には、モニタ２４に表示されたカーソルを各ボタンの方向に移動させる機能が割り当てられる。
【００５５】
ＭＥＮＵ／ＯＫボタン３０は、メニュー画面の呼び出し（ＭＥＮＵ機能）に用いられるとともに、選択内容の確定、処理の実行指示等（ＯＫ機能）に用いられ、デジタルカメラ１０の設定状態に応じて割り当てられる機能が切り替えられる。
【００５６】
メニュー画面では、たとえば露出値、色合い、ＩＳＯ感度、記録画素数などの画質調整やセルフタイマの設定、測光方式の切り替え、デジタルズームを使用するか否かなど、デジタルカメラ１０が持つ全ての調整項目の設定が行われる。デジタルカメラ１０は、このメニュー画面で設定された条件に応じて動作する。
【００５７】
ＤＩＳＰボタン３２は、モニタ２４の表示内容の切り替え指示等の入力に用いられ、ＢＡＣＫボタン３４は入力操作のキャンセル等の指示の入力に用いられる。
【００５８】
縦撮り／横撮り切替ボタン３６は、縦撮り又は横撮り（縦撮りモード又は横撮りモード）のいずれで撮影を行うかを指示するためのボタンである。縦撮り／横撮り検出回路１６６は、このボタンの状態により、縦撮り又は横撮りのいずれで撮影を行うかを検出する。
【００５９】
図３は、図１及び図２に示したデジタルカメラ１０の電気的構成を示すブロック図である。
【００６０】
図３に示すように、本実施形態のデジタルカメラ１０は、二つの撮像系それぞれから画像信号を取得できるように構成されており、ＣＰＵ１１０、２Ｄ／３Ｄ表示切替部４０、全体画像合成回路４２、３Ｄ画像編集回路４４、編集制御入力部４６、２Ｄ／３Ｄ切替視点数切替部４８、サムネイル画像作成回路５０、カーソル作成回路５２、操作部（シャッタボタン１８、電源／モードスイッチ２０、モードダイヤル２２、ズームボタン２６、十字ボタン２８、ＭＥＮＵ／ＯＫボタン３０、ＤＩＳＰボタン３２、ＢＡＣＫボタン３４、２Ｄ／３Ｄモード切替ボタン３６等）１１２、ＲＯＭ１１６、フラッシュＲＯＭ１１８、ＳＤＲＡＭ１２０、ＶＲＡＭ１２２、撮影レンズ１４Ｒ、１４Ｌ、ズームレンズ制御部１２４Ｒ、１２４Ｌ、フォーカスレンズ制御部１２６Ｒ、１２６Ｌ、絞り制御部１２８Ｒ、１２８Ｌ、撮像素子１３４Ｒ、１３４Ｌ、タイミングジェネレータ（ＴＧ）１３６Ｒ、１３６Ｌ、アナログ信号処理部１３８Ｒ、１３８Ｌ、Ａ／Ｄ変換器１４０Ｒ、１４０Ｌ、画像入力コントローラ１４１Ｒ、１４１Ｌ、デジタル信号処理部１４２Ｒ、１４２Ｌ、ＡＦ検出部１４４、ＡＥ／ＡＷＢ検出部１４６、３Ｄ画像生成部１５０、圧縮・伸張処理部１５２、メディア制御部１５４、メモリカード１５６、表示制御部１５８、モニタ２４、電源制御部１６０、バッテリ１６２、ストロボ制御部１６４、ストロボ１６等を備えている。
【００６１】
図１中右側の撮像手段Ｒは、主として、撮影レンズ１４Ｒ、ズームレンズ制御部１２４Ｒ、フォーカスレンズ制御部１２６Ｒ、絞り制御部１２８Ｒ、撮像素子１３４Ｒ、タイミングジェネレータ（ＴＧ）１３６Ｒ、アナログ信号処理部１３８Ｒ、Ａ／Ｄ変換器１４０Ｒ、画像入力コントローラ１４１Ｒ、デジタル信号処理部１４２Ｒ等から構成される。
【００６２】
図１中左側の撮像手段Ｌは、主として、撮影レンズ１４Ｌ、ズームレンズ制御部１２４Ｌ、フォーカスレンズ制御部１２６Ｌ、絞り制御部１２８Ｌ、撮像素子１３４Ｌ、タイミングジェネレータ（ＴＧ）１３６Ｌ、アナログ信号処理部１３８Ｌ、Ａ／Ｄ変換器１４０Ｌ、画像入力コントローラ１４１Ｌ、デジタル信号処理部１４２Ｌ等から構成される。
【００６３】
ＣＰＵ１１０は、カメラ全体の動作を統括制御する制御手段として機能し、操作部１１２からの入力に基づき所定の制御プログラムに従って各部を制御する。
【００６４】
バス１１４を介して接続されたＲＯＭ１１６には、このＣＰＵ１１０が実行する制御プログラム及び制御に必要な各種データ（後述するＡＥ／ＡＦの制御周期等）等が格納されており、フラッシュＲＯＭ１１８には、ユーザ設定情報等のデジタルカメラ１０の動作に関する各種設定情報等が格納されている。
【００６５】
ＳＤＲＡＭ１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００６６】
左右一対の撮影レンズ１４Ｒ、１４Ｌは、ズームレンズ１３０ＺＲ、１３０ＺＬ、フォーカスレンズ１３０ＦＲ、１３０ＦＬ、絞り１３２Ｒ、１３２Ｌを含んで構成され、所定の間隔をもってカメラボディ１２に配置されている。
【００６７】
ズームレンズ１３０ＺＲ、１３０ＬＲは、図示しないズームアクチュエータに駆動されて光軸に沿って前後移動する。ＣＰＵ１１０は、ズームレンズ制御部１２４Ｒ、１２４Ｌを介してズームアクチュエータの駆動を制御することにより、ズームレンズの位置を制御し、撮影レンズ１４Ｒ、１４Ｌのズーミングを行う。
【００６８】
フォーカスレンズ１３０ＦＲ、１３０ＦＬは、図示しないフォーカスアクチュエータに駆動されて光軸に沿って前後移動する。ＣＰＵ１１０は、フォーカスレンズ制御部１２６Ｒ、１２６Ｌを介してフォーカスアクチュエータの駆動を制御することにより、フォーカスレンズの位置を制御し、撮影レンズ１４Ｒ、１４Ｌのフォーカシングを行う。
【００６９】
絞り１３２Ｒ、１３２Ｌは、たとえば、アイリス絞りで構成されており、図示しない絞りアクチュエータに駆動されて動作する。ＣＰＵ１１０は、絞り制御部１２８Ｒ、１２８Ｌを介して絞りアクチュエータの駆動を制御することにより、絞り１３２Ｒ、１３２Ｌの開口量（絞り値）を制御し、撮像素子１３４Ｒ、１３４Ｌへの入射光量を制御する。
【００７０】
なお、ＣＰＵ１１０は、この撮影レンズ１４Ｒ、１４Ｌを構成するズームレンズ１３０ＺＲ、１３０ＺＬ、フォーカスレンズ１３０ＦＲ、１３０ＦＬ、絞り１３２Ｒ、１３２Ｌを駆動する際、左右の撮影レンズ１４Ｒ、１４Ｌを同期させて駆動する。すなわち、左右の撮影レンズ１４Ｒ、１４Ｌは、常に同じ焦点距離（ズーム倍率）に設定され、常に同じ被写体にピントが合うように、焦点調節が行われる。また、常に同じ入射光量（絞り値）となるように絞りが調整される。
【００７１】
撮像素子１３４Ｒ、１３４Ｌは、所定のカラーフィルタ配列のカラーＣＣＤで構成されている。ＣＣＤは、その受光面に多数のフォトダイオードが二次元的に配列されている。撮影レンズ１４Ｒ、１４ＬによってＣＣＤの受光面上に結像された被写体の光学像は、このフォトダイオードによって入射光量に応じた信号電荷に変換される。各フォトダイオードに蓄積された信号電荷は、ＣＰＵ１１０の指令に従ってＴＧ１３６Ｒ、１３６Ｌから与えられる駆動パルスに基づいて信号電荷に応じた電圧信号（画像信号）として撮像素子１３４Ｒ、１３４Ｌから順次読み出される。
【００７２】
なお、この撮像素子１３４Ｒ、１３４Ｌには、電子シャッタの機能が備えられており、フォトダイオードへの電荷蓄積時間を制御することにより、露光時間（シャッタ速度）が制御される。
【００７３】
なお、本実施の形態では、撮像素子としてＣＣＤを用いているが、ＣＭＯＳセンサ等の他の構成の撮像素子を用いることもできる。
【００７４】
アナログ信号処理部１３８Ｒ、１３８Ｌは、撮像素子１３４Ｒ、１３４Ｌから出力された画像信号に含まれるリセットノイズ（低周波）を除去するための相関二重サンプリング回路（ＣＤＳ）、画像信号を増幅し、一定レベルの大きさにコントロールするためのＡＧＳ回路を含み、撮像素子１３４Ｒ、１３４Ｌから出力される画像信号を相関二重サンプリング処理するとともに増幅する。
【００７５】
Ａ／Ｄ変換器１４０Ｒ、１４０Ｌは、アナログ信号処理部１３８Ｒ、１３８Ｌから出力されたアナログの画像信号をデジタルの画像信号に変換する。
【００７６】
画像入力コントローラ１４１Ｒ、１４１Ｌは、Ａ／Ｄ変換器１４０Ｒ、１４０Ｌから出力された画像信号を取り込んで、ＳＤＲＡＭ１２０に格納する。
【００７７】
デジタル信号処理部１４２Ｒ、１４２Ｌは、ＣＰＵ１１０からの指令に従いＳＤＲＡＭ１２０に格納された画像信号を取り込み、所定の信号処理を施して輝度信号Ｙと色差信号Ｃｒ、ＣｂとからなるＹＵＶ信号を生成する。
【００７８】
図４は、このデジタル信号処理部１４２Ｒ、１４２Ｌの概略構成を示すブロック図である。
【００７９】
図４に示すように、デジタル信号処理部１４２Ｒ、１４２Ｌは、ホワイトバランスゲイン算出回路１４２ａ、オフセット補正回路１４２ｂ、ゲイン補正回路１４２ｃ、ガンマ補正回路１４２ｄ、ＲＧＢ補間演算部１４２ｅ、ＲＧＢ／ＹＣ変換回路１４２ｆ、ノイズフィルタ１４２ｇ、輪郭補正回路１４２ｈ、色差マトリクス回路１４２ｉ、光源種別判定回路１４２ｊを備えて構成される。
【００８０】
ホワイトバランスゲイン算出回路１４２ａは、ＡＥ／ＡＷＢ検出部１４６で算出された積算値を取り込んでホワイトバランス調整用のゲイン値を算出する。
【００８１】
オフセット補正回路１４２ｂは、画像入力コントローラ１４１Ｒ、１４１Ｌを介して取り込まれたＲ、Ｇ、Ｂの各色の画像信号に対してオフセット処理を行う。
【００８２】
ゲイン補正回路１４２ｃは、オフセット処理された画像信号を取り込み、ホワイトバランスゲイン算出回路１４２ａで算出されたゲイン値を用いてホワイトバランス調整を行う。
【００８３】
ガンマ補正回路１４２ｄは、ホワイトバランス調整された画像信号を取り込み、所定のγ値を用いてガンマ補正を行う。
【００８４】
ＲＧＢ補間演算部１４２ｅは、ガンマ補正されたＲ、Ｇ、Ｂの色信号を補間演算して、各画素位置におけるＲ、Ｇ、Ｂ３色の信号を求める。すなわち、単板式の撮像素子の場合、各画素からは、Ｒ、Ｇ、Ｂのいずれか一色の信号しか出力されないため、出力しない色を周囲の画素の色信号から補間演算により求める。たとえば、Ｒを出力する画素では、この画素位置におけるＧ、Ｂの色信号がどの程度になるかを周りの画素のＧ、Ｂ信号から補間演算により求める。このように、ＲＧＢ補間演算は、単板式の撮像素子に特有のものなので、撮像素子１３４に三板式のものを用いた場合には不要となる。
【００８５】
ＲＧＢ／ＹＣ変換回路１４２ｆは、ＲＧＢ補間演算後のＲ、Ｇ、Ｂ信号から輝度信号Ｙと色差信号Ｃｒ、Ｃｂを生成する。
【００８６】
ノイズフィルタ１４２ｇは、ＲＧＢ／ＹＣ変換回路１４２ｆで生成された輝度信号Ｙと色差信号Ｃｒ、Ｃｂに対してノイズ低減処理を施す。
【００８７】
輪郭補正回路１４２ｈは、ノイズ低減後の輝度信号Ｙに対し、輪郭補正処理を行い、輪郭補正された輝度信号Ｙ’を出力する。
【００８８】
一方、色差マトリクス回路１４２ｉは、ノイズ低減後の色差信号Ｃｒ、Ｃｂに対し、色差マトリクス（Ｃ−ＭＴＸ）を乗算して色調補正を行う。すなわち、色差マトリクス回路１４２ｉには、光源対応の色差マトリクスが複数種類設けられており、光源種別判定回路１４２ｊが求めた光源種に応じて、使用する色差マトリクスを切り替え、この切り替え後の色差マトリクスを入力された色差信号Ｃｒ、Ｃｂに乗算し、色調補正された色差信号Ｃｒ’、Ｃｂ’を出力する。
【００８９】
光源種別判定回路１４２ｊは、ＡＥ／ＡＷＢ検出部１４６で算出された積算値を取り込んで光源種を判定し、色差マトリクス回路１４２ｉに色差マトリクス選択信号を出力する。
【００９０】
なお、本実施の形態のデジタルカメラでは、上記のようにデジタル信号処理部をハードウェア回路で構成しているが、当該ハードウェア回路と同じ機能をソフトウェアにて構成することも可能である。
【００９１】
ＡＦ検出部１４４は、一方の画像入力コントローラ１４１Ｒから取り込まれたＲ、Ｇ、Ｂの各色の画像信号を取り込み、ＡＦ制御に必要な焦点評価値を算出する。このＡＦ検出部１４４は、Ｇ信号の高周波成分のみを通過させるハイパスフィルタ、絶対値化処理部、画面に設定された所定のフォーカスエリア内の信号を切り出すフォーカスエリア抽出部、及び、フォーカスエリア内の絶対値データを積算する積算部を含み、この積算部で積算されたフォーカスエリア内の絶対値データを焦点評価値としてＣＰＵ１１０に出力する。
【００９２】
ＣＰＵ１１０は、ＡＦ制御時、このＡＦ検出部１４４から出力される焦点評価値が極大となる位置をサーチし、その位置にフォーカスレンズ１３０ＦＲ、１３０ＦＬを移動させることにより、主要被写体への焦点合わせを行う。すなわち、ＣＰＵ１１０は、ＡＦ制御時、まず、フォーカスレンズ１３０ＦＲ、１３０ＦＬを至近から無限遠まで移動させ、その移動過程で逐次ＡＦ検出部１４４から焦点評価値を取得し、その焦点評価値が極大となる位置を検出する。そして、検出された焦点評価値が極大の位置を合焦位置と判定し、その位置にフォーカスレンズ１３０ＦＲ、１３０ＦＬを移動させる。これにより、フォーカスエリアに位置する被写体（主要被写体）にピントが合わせられる。
【００９３】
ＡＥ／ＡＷＢ検出部１４６は、一方の画像入力コントローラ１４１Ｒから取り込まれたＲ、Ｇ、Ｂの各色の画像信号を取り込み、ＡＥ制御及びＡＷＢ制御に必要な積算値を算出する。すなわち、このＡＥ／ＡＷＢ検出部１４６は、一画面を複数のエリア（たとえば、８×８＝６４エリア）に分割し、分割されたエリアごとにＲ、Ｇ、Ｂ信号の積算値を算出する。
【００９４】
ＣＰＵ１１０は、ＡＥ制御時、このＡＥ／ＡＷＢ検出部１４６で算出されたエリアごとのＲ、Ｇ、Ｂ信号の積算値を取得し、被写体の明るさ（測光値）を求めて、適正な露光量を得るための露出設定を行う。すなわち、感度、絞り値、シャッタ速度、ストロボ発光の要否を設定する。
【００９５】
また、ＣＰＵ１１０は、ＡＷＢ制御時、ＡＥ／ＡＷＢ検出部１４６で算出されたエリアごとのＲ、Ｇ、Ｂ信号の積算値をデジタル信号処理部１４２のホワイトバランスゲイン算出回路１４２ａ及び光源種別判定回路１４２ｊに加える。
【００９６】
ホワイトバランスゲイン算出回路１４２ａは、このＡＥ／ＡＷＢ検出部１４６で算出された積算値に基づいてホワイトバランス調整用のゲイン値を算出する。
【００９７】
また、光源種別判定回路１４２ｊは、このＡＥ／ＡＷＢ検出部１４６で算出された積算値に基づいて光源種を検出する。
【００９８】
圧縮・伸張処理部１５２は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。なお、本実施の形態のデジタルカメラ１０では、静止画に対しては、ＪＰＥＧ規格に準拠した圧縮処理が施され、動画に対してはＭＰＥＧ２規格に準拠した圧縮処理が施される。
【００９９】
メディア制御部１５４は、ＣＰＵ１１０からの指令に従い、メモリカード１５６に対してデータの読み／書きを制御する。
【０１００】
表示制御部１５８は、ＣＰＵ１１０からの指令に従い、モニタ２４への表示を制御する。すなわち、ＣＰＵ１１０からの指令に従い、入力された画像信号をモニタ２４に表示するための映像信号（たとえば、ＮＴＳＣ信号やＰＡＬ信号、ＳＣＡＭ信号）に変換してモニタ２４に出力するとともに、所定の文字、図形情報をモニタ２４に出力する。
【０１０１】
電源制御部１６０は、ＣＰＵ１１０からの指令に従い、バッテリ１６２から各部への電源供給を制御する。
【０１０２】
ストロボ制御部１６４は、ＣＰＵ１１０からの指令に従い、ストロボ１６の発光を制御する。
【０１０３】
高さ検出部３８は、基準面（例えば、地面）からの撮影高さ（距離）を検出するための回路である。
【０１０４】
縦撮り／横撮り検出回路１６６は、縦撮り／横撮り切替ボタン３６の状態により、縦撮りであるか横撮りであるかを検出する。
【０１０５】
２Ｄ／３Ｄモード切替フラグ１６８には、２Ｄモードであること又は３Ｄモードであることを表すフラグが設定される。
【０１０６】
次に、上記構成のデジタルカメラ１０で撮影される本画像の例について説明する。
【０１０７】
〔本画像及びサムネイル画像の例〕
モードダイヤル２２の操作により３Ｄ撮影モードが設定されている状態の下、シャッタボタン１８を押下すると、撮像手段Ｒ及びＬにより撮影が行われ、この撮影動作により得られた画像データから本画像及びサムネイル画像が得られる。
【０１０８】
図５（ａ）〜（ｄ）は、本画像を表している。
【０１０９】
図５（ａ）は、撮像手段Ｌにより撮影された画像データから生成された左視点の本画像（以下左視点画像、又は左眼画像という）である。図５（ｂ）は、撮像手段Ｒにより撮影された画像データから生成された右視点の本画像（以下右視点画像、又は右眼画像という）である。図５（ｃ）は、左視点画像と右視点画像とを合成して得られた全体画像の本画像（以下全体画像という）である。図５（ｄ）は、後述の立体視を可能とするための画像（以下立体画像又は３Ｄ画像ともいう）であり、左視点画像と右視点画像の共通の画像部分（立体視可能な領域）のみを含む画像である。本画像としては、上記の四種類がある。
【０１１０】
立体画像をどのようにして作成するかについては、例えば、立体表示可能な領域を、被写体までの距離や被写体のサイズ、撮像手段ＲとＬのレンズ間距離、輻輳角、ズーム倍率等から計算して、自動で切り出すことが考えられる。あるいは、全体画像等を見ながら撮影者が調整することも考えられる。また、撮影後、ユーザが画角やずれ量を調整してもよい。
【０１１１】
なお、本実施形態のデジタルカメラ１０では、図６に示すように、撮像手段Ｒ及びＬの輻輳角を調整可能に構成されているため、撮像手段Ｒからは左寄りの画像、撮像手段Ｌからは右寄りの画像が得られる。
【０１１２】
次に、サムネイル画像について説明する。
【０１１３】
図７（ａ）〜（ｄ）は、サムネイル画像を表している。
【０１１４】
図７（ａ）は、図５（ａ）の左視点画像のサムネイル画像（以下左視点サムネイル画像という）である。図７（ｂ）は、図５（ｂ）の右視点画像のサムネイル画像（以下右視点サムネイル画像という）である。図７（ｃ）は、図５（ｃ）の全体画像のサムネイル画像（以下全体サムネイル画像という）である。図７（ｄ）は、図５（ｄ）の立体画像のサムネイル画像（以下立体サムネイル画像）である。
【０１１５】
これらのサムネイル画像は、本画像を縮小することにより、あるいは、本画像から所定規則で画素を間引くことにより、作成されたものである。
〔カーソル表示の例〕
図５（ｃ）に示す全体画像を表示（再生等）した場合、この全体画像とともに、全体画像中の左視点及び右視点の本画像の範囲を識別させるための表示や、全体画像中の立体画像の範囲を識別させるための表示を表示する。図８は、この表示がカーソルＣＲ（図中細い点線で示す）、ＣＬ（図中一点鎖線で示す）、ＣＳ（図中太い点線で示す）である場合の例を示している。
【０１１６】
図８では、遠方の山の視差が合わず立体感が損なわれたため、前方の花のみ立体画像が正しく再現されるとして、前方の花のみが立体画像として記録されていることを示している。もちろん、ＶＧＡやＨＤの解像度に合わせて、拡大や縮小のリサイズが行われることもある。
【０１１７】
なお、全体画像（本画像）にのみカーソルＣＲ、ＣＬ、ＣＳを表示するのではなく、左視点又は右視点の本画像に対して、立体画像の範囲を識別させるための表示を表示してもよい。
【０１１８】
また、立体画像や左視点又は右視点の本画像が全体画像のどの範囲に相当するかを、枠や画像の表示で示すように構成してもよい。図８は、全体画像の右下にそのような表示を枠で表した例である。図９は、立体画像の右下にそのような表示を枠で表した例である。
【０１１９】
上記のカーソルＣＲ、ＣＬ、ＣＳは全体画像に表示されてもよいし、サムネイル画像に表示されてもよい。
【０１２０】
このように、立体画像等の範囲を識別させるための表示（カーソル）を表示するようにしたので、全体画像中の立体画像の範囲や左右視点の画像の範囲を容易に把握することが可能となる。
【０１２１】
〔画像フォーマットの例〕
図１０は、\DCIM3D\XXXXX\配下に四つの画像ファイルが格納されている状態を表している。拡張子S3Dは、その画像ファイルが静止画の３Ｄ画像ファイルであることを示す。静止画は、非圧縮、あるいはJPEGやJPEG2000等で圧縮されて記録されている。拡張子M3Dは、その画像ファイルが動画の３Ｄ画像ファイルであることを示す。動画の場合、本画像がフィールドやフレーム単位、ブロック単位で連続して記録されている。動画は、非圧縮、あるいはMPEG-2、MPEG-4、H.264等で圧縮されて記録されている。
【０１２２】
図１１は、図１０中のファイル名DSC00001.S3Dの画像フォーマットの例を示している。
【０１２３】
画像フォーマットは、関連情報（ヘッダ情報又は画像情報タグともいう）、サムネイル（サムネイル画像ともいう）、及び、画像（本画像又は主画像ともいう）で構成される。
【０１２４】
関連情報は、本画像に対する付属情報のことであり、視点数欄、水平方向視点数欄、垂直方向視点数欄、視点の配置欄、ディフォルトの視点欄、ディフォルトの表示モード欄、２Ｄ／３Ｄモード欄、本画像の各サイズ欄、サムネイルの各サイズ欄、全体画像、左右画像に対する座標欄がある。
【０１２５】
視点数欄には、本画像を撮影した撮影手段の数を識別するための識別子が記録される。水平方向視点数欄には、いわゆる横撮りした場合の撮像手段の数を識別するための識別子が記録される。垂直方向視点数欄には、いわゆる縦撮りした場合の撮像手段の数を識別するための識別子が記録される。
【０１２６】
視点の配置欄には、撮像手段を識別するための識別子が撮影者から見て左から順に記録される。ディフォルトの視点欄には、撮像手段の数を識別するための識別子が記録される。ディフォルトの表示モード欄には、ディフォルトの表示モード（２Ｄ／３Ｄ）が記録される。２Ｄ／３Ｄモード欄には、本画像が２Ｄ画像か３Ｄ画像かを識別するための識別子が記録される。
【０１２７】
本画像の各サイズ欄には、本画像の各サイズが記録される。サムネイルの各サイズ欄には、サムネイルの各サイズが記録される。全体画像、左右画像に対する座標欄には、ステップＳ３０で作成された３Ｄ画像が、ステップＳ３１で作成された全体画像中のどの部分に相当するかを表す情報（さらには、左右視点の主画像中のどの部分に相当するかを表す情報）、例えば、全体画像中の位置、幅、高さが記録される。この座標欄の情報により、立体画像の範囲等をカーソル等で表示することが可能となる。
【０１２８】
なお、関連情報は、これらの項目に限定されない。例えば、Ｅｘｉｆ(Exchangeable image file format)と同様の項目（シャッタースピード、レンズ絞り値、圧縮モード、色空間情報、画素数、メーカ独自情報（メーカーノート）等）を記録するようにしてもよい。
【０１２９】
サムネイル画像としては、図７（ａ）〜（ｄ）に示したように、右視点の本画像（図１１中右眼画像）のサムネイル画像、左視点の本画像（図１１中左眼画像）のサムネイル画像、立体画像のサムネイル画像、全体画像のサムネイル画像の合計四種類がある。
【０１３０】
本画像としては、図５（ａ）〜（ｄ）に示したように、右視点の本画像、左視点の本画像、立体画像の本画像、全体画像の本画像の合計四種類がある。
【０１３１】
このように全体を把握できる全体画像のサムネイル等及び全体画像（本画像）等を用意したので、必要な被写体を容易に探し出すことが可能である。
【０１３２】
次に、上記構成のデジタルカメラ１０の動作について図面を参照しながら説明する。
【０１３３】
〔撮影時動作〕
図１２は、第一実施形態のデジタルカメラ１０の動作（撮影時動作）を説明するためのフローチャートである。
【０１３４】
以下の処理は、主として、ＣＰＵ１１０がＳＤＲＡＭ１２０等に読み込まれた所定プログラムを実行することにより実現される。
【０１３５】
モードダイヤル２２の操作により２Ｄ撮影モード又は３Ｄ撮影モードのいずれかが設定されている状態の下、シャッタボタン１８の一段目をオンすると（ステップＳ１０：Ｙｅｓ）、モードダイヤル２２の状態により、２Ｄ撮影モードが設定されているか３Ｄ撮影モードが設定されているかを検出する（ステップＳ１１）。
【０１３６】
２Ｄ撮影モードが検出されると（ステップＳ１２：Ｎｏ）、２Ｄモードへ切り替える（ステップＳ１３）。すなわち、２Ｄ／３Ｄモード切替フラグ１６８に２Ｄモードであることを表すフラグを設定する。
【０１３７】
次に、二つの撮像手段Ｒ、Ｌ（本発明の複数の撮像手段に相当）のうちの駆動する撮像手段（本発明の一部の撮像手段に相当）を選択する（ステップＳ１４）。例えば、利用者が操作部１１２の操作して所望の撮像手段Ｒ、Ｌを選択する。この選択した撮像手段Ｒ又はＬを識別するための表示を、例えば、モニタ２４あるいはカメラボディ１２に別途設けた表示器に表示してもよい。このようにすれば、利用者がこの表示を視認することで、現在どの撮像手段Ｒ又はＬが駆動しているのか、又は、どの撮像手段Ｒ又はＬにより撮影が行われるのかを把握することが可能となる。この表示としては、例えば、撮像手段Ｒ又はＬの識別番号、あるいは、複数の撮像手段Ｒ、Ｌを含む模式図のうち駆動する撮像手段Ｒ又はＬに相当する部分を、点滅表示させたり、異なる色で強調表示することが考えられる。
【０１３８】
次に、ステップＳ１４で選択した撮像手段Ｒ又はＬのみを駆動するように制御する（ステップＳ１５）。
【０１３９】
次に、ファイルの初期化を実行する（ステップＳ１６）。
【０１４０】
次に、シャッタボタン１８の二段目をオンする（本発明の撮影指示に相当）と、ステップＳ１４で選択した撮像手段Ｒ又はＬのみにより撮影が行われ（ステップＳ１７）、その選択した撮像手段Ｒ又はＬのみで撮影した画像（以下２Ｄ画像ともいう）がＳＤＲＡＭ１２０等に取り込まれる（ステップＳ１８）。
【０１４１】
次に、その取り込んだ画像から本画像及びサムネイル画像を作成し（ステップＳ１９）、この本画像及びサムネイル画像を含むファイルを生成し、記録媒体の所定フォルダに自動的に振り分けられて記録（保存）する（ステップＳ２０）。なお、サムネイル画像はサムネイル画像作成回路５０が作成する。
【０１４２】
そして、撮影が終了であれば（ステップＳ２１：Ｙｅｓ）、ヘッダ情報を更新して（ステップＳ２２）処理を終了する。
【０１４３】
次に、ステップＳ１２で３Ｄ撮影モードが検出された場合の動作について説明する。
【０１４４】
３Ｄ撮影モードが検出されると（ステップＳ１２：Ｙｅｓ）、３Ｄモードへ切り替える（ステップＳ２３）。すなわち、２Ｄ／３Ｄモード切替フラグ１６８に３Ｄモードであることを表すフラグを設定する。
【０１４５】
次に、視点数を設定する（ステップＳ２４）。例えば、三つの撮像手段を備えるデジタルカメラの場合、利用者が操作部１１２又は２Ｄ／３Ｄ切替視点数切替部４８の操作によりいずれの撮像手段で撮影するかを設定する。本実施形態では二つの撮像手段Ｒ、Ｌを備えるデジタルカメラであるので、これら二つの撮像手段Ｒ、Ｌを視点数（＝２）として自動的に設定する。この設定した撮像手段Ｒ及びＬを識別するための表示を、例えば、モニタ２４あるいはカメラボディ１２に別途設けた表示器に表示してもよい。このようにすれば、利用者がこの表示を視認することで、現在どの撮像手段Ｒ又はＬが駆動しているのか、又は、どの撮像手段Ｒ又はＬにより撮影が行われるのかを把握することが可能となる。この表示としては、例えば、撮像手段Ｒ又はＬの識別番号、あるいは、複数の撮像手段Ｒ、Ｌを含む模式図のうち駆動する撮像手段Ｒ又はＬに相当する部分を、点滅表示させたり、異なる色で強調表示することが考えられる。
【０１４６】
次に、ステップＳ２４で設定した撮像手段Ｒ及びＬを駆動視点として選択し（ステップＳ２５）、この選択した撮像手段Ｒ及びＬを駆動するように制御する（ステップＳ２６）。
【０１４７】
次に、ファイルの初期化を実行する（ステップＳ２７）。
【０１４８】
次に、シャッタボタン１８の二段目をオンする（本発明の撮影指示に相当）と、ステップＳ２５で選択した撮像手段Ｒ及びＬにより撮影が行われ、各撮像手段Ｒ、Ｌそれぞれで撮影した画像（以下３Ｄ画像ともいう）がＳＤＲＡＭ１２０等に取り込まれる（ステップＳ２９）。
【０１４９】
この取り込んだ各視点の画像データから各視点の本画像（右視点の本画像、左視点の本画像）を作成するとともに、３Ｄ画像編集回路４４が３Ｄ画像（立体画像）を作成し（ステップＳ３０）、さらに、全体画像合成回路４２が全体画像を作成する（ステップＳ３１）。
【０１５０】
次に、各視点の本画像（右視点の本画像、左視点の本画像）それぞれのサムネイル画像、立体画像のサムネイル画像、及び全体画像のサムネイル画像を作成する（ステップＳ３２）。なお、サムネイル画像はサムネイル画像作成回路５０が作成する。
【０１５１】
次に、対応関係の座標を作成する（ステップＳ３３）。すなわち、ステップＳ３０で作成された３Ｄ画像（立体画像）が、ステップＳ３１で作成された全体画像中のどの部分に相当するかを表す情報（例えば、全体画像中の位置、幅、高さ）を作成する（ステップＳ３３）。この対応関係の座標により、３Ｄ画像（立体画像）の範囲等をカーソル等で表示することが可能となる。
【０１５２】
次に、上記のように作成した主画像、各サムネイル画像、及び対応関係の座標を含むファイルを生成し、記録媒体の所定フォルダに自動的に振り分けて記録（保存）する（ステップＳ３４）。なお、この対応関係の座標等の関連情報、四つのサムネイル、四つの本画像は、区切りのタグコードで判別可能に区切られ、一つのファイルに記録される。
【０１５３】
そして、撮影が終了であれば（ステップＳ３５：Ｙｅｓ）、記録媒体でのファイルの特定ができるようにヘッダ情報を更新して（ステップＳ３５）処理を終了する。
【０１５４】
以上説明したように、本実施形態のデジタルカメラ１０によれば、左右の視点に対応する複数の撮像手段Ｒ及びＬで撮影された左右視点別の画像から、複数の本画像（右視点の本画像、左視点の本画像、立体画像、及び、全体画像の合計四つの本画像）を作成するとともに（ステップＳ３０、Ｓ３１）、複数のサムネイル画像（右視点のサムネイル画像、左視点のサムネイル画像、立体サムネイル画像、及び、全体サムネイル画像の合計四つのサムネイル画像）を作成し（ステップＳ３２）、所定画像フォーマットの画像ファイルとして記録する（ステップＳ３４）。
【０１５５】
すなわち、立体画像及び立体サムネイル画像以外の視点別の本画像及びサムネイル画像等も記録する。
【０１５６】
したがって、従来のように、３Ｄ画像として必要な部分が編集で残り、３Ｄ表示に寄与しない部分の画像が捨てられたとしても、立体画像及び立体サムネイル画像以外の左右視点別の本画像及びサムネイル画像等を表示させることが可能であるから、これらの左右視点別の本画像及びサムネイル画像等を視認することで、３Ｄ表示には現れない端の画像部分等に写っている被写体の検索を容易に行うことが可能となる。
【０１５７】
〔再生時動作  その１〕
図１３は、第一実施形態のデジタルカメラ１０の動作（再生時動作）を説明するためのフローチャートである。
【０１５８】
以下の処理は、主として、ＣＰＵ１１０がＳＤＲＡＭ１２０等に読み込まれた所定プログラムを実行することにより実現される。
【０１５９】
操作部１１２（２Ｄ／３Ｄ表示切替部）の操作により２Ｄ／３Ｄ画像のいずれの表示を行うかを選択すると（ステップＳ４０）、いずれの表示モードが選択されたかを検出する（ステップＳ４１）。
【０１６０】
３Ｄモードが検出されると（ステップＳ４２：Ｙｅｓ）、３Ｄ表示モードへ切り替える（ステップＳ４３）。すなわち、２Ｄ／３Ｄモード切替フラグ１６８に３Ｄモードであることを表すフラグを設定する。
【０１６１】
次に、３Ｄ画像（立体画像を含むファイル）を読み込み（ステップＳ４４）、その読み込んだ３Ｄ画像の各サムネイル画像（四つのサムネイル画像）、及び、各本画像（四つの本画像）を展開する（ステップＳ４５、Ｓ４６）とともに、その読み込んだ３Ｄ画像から対応座標を読み出す（ステップＳ４７）。
【０１６２】
そして、モニタ２４にその展開したサムネイル画像のうち特定種類のサムネイル画像を所定形式で表示する（ステップＳ４８）。
【０１６３】
次に、ステップＳ４７で読み出した対応座標にカーソルを表示する（ステップＳ４９）。例えば、図８に示すように、カーソル作成回路５０が全体画像（主画像）に対してカーソルＣＲ、ＣＬ、ＣＳを表示する。なお、このカーソルの表示／非表示は利用者が操作部１１２を操作することで切り替え可能である。また、いずれかのカーソルのみを表示するように切り替えも可能である。このようにすれば、全体画像中の視点別の複数の画像の範囲や立体画像の範囲を容易に把握することが可能となる。
【０１６４】
また、全体画像（主画像）ではなく例えば左視点の主画像に対して、あるいはサムネイル画像に対してもカーソルを表示してもよい。このようにすれば、視点別の複数の画像のうちの少なくとも一つの画像（例えば左視点の画像）中の立体画像の範囲を容易に把握することが可能となる。
【０１６５】
さらに、立体画像を表示する場合も、上記の対応関係をカーソル表示することができる。また、全体の画像の中でどの位置を表示しているかについても、画像の表示のじゃまにならない位置にカーソルや画像で表示することが可能である。
【０１６６】
利用者が操作部１１２を操作してサムネイル画像の種類を切り替えると、その切り替えられた種類のサムネイル画像のみを表示する（ステップＳ５０）。
【０１６７】
サムネイル画像の切り替えの例を示す。例えば、図１５に示すように、操作部１１２を操作するごとに、立体画像のサムネイル画像、全体画像のサムネイル画像、右視点（図中右眼）のサムネイル画像、左視点（図中左眼）のサムネイル画像、立体画像のサムネイル画像（以下同様）の順に切り替わるようにすることが考えられる。例えば、モード選択またはサムネイルモード選択ボタンを押し、カーソルを移動して選択することで表示モードを切り替える。あるいは、マウスやトラックボール、タッチパネルでカーソルを移動して切り替えてもよい。さらに、専用ボタンのトグルで順次切り替えてもよい。ディフォルトの表示モードは３Ｄでもよいし、全体、右視点、左視点でもよい。また、最後に選択した状態を記憶して、次回そのサムネイルを表示してもよい。また、３Ｄが選択されているときはディスプレイを３Ｄ表示に切り替え、３Ｄ表示することも可能である。
【０１６８】
サムネイル画像の切り替えの別の例を示す。例えば、図１６に示すように、一つのサムネイルをクリック等で選択するごとに、一つのサムネイルの表示を、３Ｄ、全体画像、右視点画像、左視点画像、３Ｄ（以下同様）と切り替えてもよい。メニュー選択や専用ボタンでトグル形式に切り替えてもよい。
【０１６９】
そして、利用者が操作部１１２を操作して、その表示されたサムネイル画像の中からいずれかのサムネイル画像を選択すると（ステップＳ５１：Ｙｅｓ）、その選択されたサムネイル画像及び種類に対応する主画像を読み出し復元した後（ステップＳ５２、Ｓ５３）表示する（ステップＳ５２）。
【０１７０】
主画像の表示例を説明する。
【０１７１】
図１７（ａ）は、３Ｄのサムネイル画像が選択されたときに表示される主画像等の表示例である。図１７（ｂ）は、全体画像のサムネイル画像が選択されたときに表示される主画像等の表示例である。図１７（ｃ）は、右視点のサムネイル画像が選択されたときに表示される主画像等の表示例である。図１７（ｄ）は、左視点のサムネイル画像が選択されたときに表示される主画像等の表示例である。
【０１７２】
サムネイル画像で表示したい画像の上でダブルクリックまたは、カーソルキーおよび選択キーで選択後、専用選択ボタンやメニュー選択等により、そのとき表示していたサムネイルの種類の本画像を表示する。ダブルクリックや、メニュー、専用表示切替キーで表示モードを３Ｄ画像、全体画像、右視点画像、左視点画像、３Ｄ画像と本画像の表示を切り替えることができる。
【０１７３】
主画像の別の表示例を説明する。
【０１７４】
図１８は、主画像の別の表示例を表している。本画像表示は、３Ｄ、全体画像、右視点画像、左視点画像を並べて表示することも可能である。各画像をダブルクリックしたり、カーソル及び選択キーで選択した場合は、選択された種類の本画像のみ大きく表示する。３Ｄ画像のときはディスプレイの表示モードを３Ｄ表示に切り替え、その他の画像の場合は、２Ｄの表示に切り替えるようにしてもよい。いずれの画像の表示からもサムネイル表示に戻ることができる。
【０１７５】
上記ステップＳ４８からＳ５３の処理は、表示が終了するまで繰り返される（ステップＳ５４：Ｎｏ）。
【０１７６】
以上説明したように、ステップＳ４２で３Ｄモードが検出された場合には、３Ｄ画像専用の３Ｄ画像フォルダからファイル（画像）を読み出すようにしたので、選択が容易でしかもサムネイル画像や本画像の表示（選択させるための表示）も迅速に行うことが可能となる。また、画像の選別も容易に行うことが可能となる。
【０１７７】
次に、ステップＳ４２で２Ｄモードが検出された場合の動作について説明する。
【０１７８】
２Ｄモードが検出されると（ステップＳ４２：Ｎｏ）、２Ｄ表示モードへ切り替える（ステップＳ５５）。すなわち、２Ｄ／３Ｄモード切替フラグ１６８に２Ｄモードであることを表すフラグを設定する。
【０１７９】
次に、２Ｄ画像を読み込む（ステップＳ５６）とともに、その読み込んだ２Ｄ画像のサムネイル画像を読み込む（ステップＳ５７）。
【０１８０】
そして、モニタ２４にその読み込んだサムネイル画像を所定形式で表示する（ステップＳ５８）。
【０１８１】
利用者が操作部１１２を操作して、その表示されたサムネイル画像の中からいずれかのサムネイル画像を選択すると（ステップＳ５９：Ｙｅｓ）、その選択されたサムネイル画像に対応する主画像を表示する（ステップＳ６０）。
【０１８２】
上記ステップＳ５８からＳ６０の処理は、表示が終了するまで繰り返される（ステップＳ６１：Ｎｏ）。
【０１８３】
以上説明したように、本実施形態のデジタルカメラ１０によれば、右視点サムネイル画像、左視点サムネイル画像、立体サムネイル画像、又は全体サムネイル画像のうちの少なくとも一つの種類に属するサムネイル画像を読み出して表示し（ステップＳ４８）、この表示されるサムネイル画像の種類を切り替え（ステップＳ５０）、所望のサムネイル画像を選択すること（ステップＳ５１）でその選択したサムネイル画像の本画像を表示することが可能となる（ステップＳ５３）。
【０１８４】
したがって、従来のように、３Ｄ画像として必要な部分が編集で残り、３Ｄ表示に寄与しない部分の画像が捨てられたとしても、立体サムネイル画像だけでなく、立体サムネイル画像以外の視点別サムネイル画像等も切り替えて表示させることが可能であるから、視点別サムネイル画像等を視認することで、３Ｄ表示には現れない端の画像部分等に写っている被写体の検索を容易に行うことが可能となる。
【０１８５】
〔編集時動作〕
図１４は、第一実施形態のデジタルカメラ１０の動作（編集時動作）を説明するためのフローチャートである。
【０１８６】
以下の処理は、主として、ＣＰＵ１１０がＳＲＡＭ１２０等に読み込まれた所定プログラムを実行することにより実現される。
【０１８７】
操作部１１２の操作により編集対象の画像が指示されると、該当の画像が読み込まれる（ステップＳ７０）。
【０１８８】
その読み込まれた画像が３Ｄモードであれば（ステップＳ７１：Ｙｅｓ）、３Ｄ表示モードへ切り替える（ステップＳ７２）。すなわち、２Ｄ／３Ｄモード切替フラグ１６８に３Ｄモードであることを表すフラグを設定する。
【０１８９】
次に、ステップＳ７０で読み込まれた画像に対して３Ｄ画像（立体画像）の編集を行うか否かを判定する（ステップＳ７３）。
【０１９０】
３Ｄ画像（立体画像）の編集を行うのであれば（ステップＳ７３：Ｙｅｓ）、３Ｄ画像から主画像（例えば全体画像）を読み出し、表示する（ステップＳ７４）。また、対応座標を読み出す（ステップＳ７５）。さらに、全体画像、左右視点画像を読み出し、表示しする（ステップＳ７６）。これら各画像の表示例を図１９に示す。
【０１９１】
この表示例では、３Ｄ画像が多きく、その他画像を小さめに表示している。全体画像や、右視点画像、左視点画像には、３Ｄ画像の範囲を示すカーソルが表示されるが、モード選択により表示しないようにすることもできる。
【０１９２】
そして、ステップＳ７５で読み出した対応座標にカーソルを表示する（ステップＳ７７）。例えば、図８に示すように全体画像（主画像）に対してカーソルＣＲ、ＣＬ、ＣＤを表示する。
【０１９３】
次に、操作部１１２又は編集制御入力部４６の操作により３Ｄ画像（立体画像）を編集する（ステップＳ７８）。例えば、３Ｄ画像（立体画像）の立体感の調整や主要被写体や背景等の良好な立体画像表示に悪影響を及ぼす領域を避けて、きれいな立体視が得られる（であろうと思われる）画像領域を変更する。
【０１９４】
この編集が完了すると（ステップＳ７９：Ｙｅｓ）、ヘッダ情報を更新し（ステップＳ８０）、編集後の画像を書き込んで（ステップＳ８１）、処理を終了する。
【０１９５】
次に、ステップＳ７１で２Ｄモードが検出された場合の動作について説明する。
【０１９６】
その読み込まれた画像が２Ｄモードであれば（ステップＳ７１：Ｎｏ）、２Ｄ表示モードへ切り替えられる（ステップＳ８２）。すなわち、２Ｄ／３Ｄモード切替フラグ１６８に２Ｄモードであることを表すフラグが設定される。
【０１９７】
次に、操作部１１２の操作により２Ｄ画像を編集する（ステップＳ１１６）。
【０１９８】
この編集が完了すると（ステップＳ１１７：Ｙｅｓ）、ヘッダ情報を更新し（ステップＳ８０）、編集後の画像を書き込んで（ステップＳ８１）、処理を終了する。
【０１９９】
なお、図１９において、領域変更を選択すると、全体画像や右左視点画像のカーソルを動かすことで、３Ｄ領域の範囲を変更することができる。
【０２００】
また、画像を大きく表示して編集を詳細に行うためには、全体、右眼、左眼、３Ｄのボタンを選択すると、その画像を大きく表示することもできる。戻るボタンを選択すると拡大から図１９の画面に戻る。
【０２０１】
奥行感変更を選択すると、スライドバーで奥行き感（立体感）を変更することができる。簡単な変更では左右（上下）の画像のずれ量を画素単位で調節することで奥行き感の調整が行われる。画像の領域ごとにずれ量を調整することで、より詳細な奥行き感の変更を行うようにすることもできる。
【０２０２】
図２０は、カメラのキー配置の例を示している。決定キーは方向キーの中央にあってもよい。トラックボールのような構成にすることもできる。
【０２０３】
以上説明したように、本実施形態のデジタルカメラ１０によれば、立体画像の範囲を編集するステップ（ステップＳ７８）備えているので、立体感の調整や主要被写体や背景等の良好な立体画像表示に悪影響を及ぼす領域を避けて、きれいな立体視が得られる（であろうと思われる）画像領域を編集することが可能となる。
【０２０４】
（変形例）
次に、本実施形態のデジタルカメラ１０の変形例について説明する。
【０２０５】
本実施形態では、図１に示すように、デジタルカメラ１０が二つの撮像手段Ｒ、Ｌを備えている例について説明したが、本発明はこれに限定されない。
【０２０６】
例えば、デジタルカメラ１０は、三つ以上の撮影手段を備えていてもよい。また、撮影手段を構成する撮影レンズ等は、図１に示すように横一列に配置されていなくてもよい。例えば、三つの撮像手段を備えている場合には、各撮影レンズは、三角形の各頂点に対応する位置に配置してもよい。同様に、四つの撮像手段を備えている場合には、各撮影レンズは、四角形の各頂点に対応する位置に配置してもよい。
【０２０７】
本実施形態では、例えば、３Ｄ静止画撮影モード時は、アナグリフ方式やステレオスコープ方式、平行法、交差法等で観察される立体視用の静止画像を生成し、３Ｄ動画撮影モード時は、時分割方式の３Ｄ動画を生成するようにしてもよい。なお、この種の３Ｄ画像の生成方法については、公知の技術であるので、ここでは、その具体的な生成方法についての説明は省略する。
【０２０８】
また、本実施の形態では、音声記録については、特に言及していないが、音声記録ができるようにすることももちろん可能である。
【０２０９】
また、本実施形態のデジタルカメラは、所定操作部１１２の操作により、撮影目的に応じて撮像手段Ｒ、Ｌ（主として撮影レンズ１４Ｒ、１４Ｌ等）間の間隔、及び、撮像手段Ｒ、Ｌ（主として撮影レンズ１４Ｒ、１４Ｌ等）の輻輳角を調整可能に構成されていてもよい。
【０２１０】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【０２１１】
【図１】本発明の第一実施形態であるデジタルカメラの外観構成を示す正面斜視図である。
【図２】本発明の第一実施形態であるデジタルカメラの外観構成を示す背面斜視図である。
【図３】図１及び図２に示したデジタルカメラ１０の電気的構成を示すブロック図である。
【図４】デジタル信号処理部１４２Ｒ、１４２Ｌの概略構成を示すブロック図である。
【図５】本画像の例を説明するための図である。
【図６】撮像手段Ｒからは左寄りの画像、撮像手段Ｌからは右寄りの画像が得られることを説明するための図である。
【図７】サムネイル画像を説明するための図である。
【図８】カーソルの例を説明するための図である。
【図９】立体画像や左視点又は右視点画像が全体画像のどの範囲に相当するかを表示する表示の例を説明するための図である。
【図１０】画像ファイルが記録されるディレクトリの階層を説明するための図である。
【図１１】画像のフォーマット例である。
【図１２】第一実施形態のデジタルカメラ１０の動作（撮影時動作）を説明するためのフローチャートである。
【図１３】第一実施形態のデジタルカメラ１０の動作（再生時動作）を説明するためのフローチャートである。
【図１４】第一実施形態のデジタルカメラ１０の動作（編集時動作）を説明するためのフローチャートである。
【図１５】サムネイル画像の表示切替例である。
【図１６】サムネイル画像の表示切替の他の例である。
【図１７】サムネイル画像選択後の本画像表示例である。
【図１８】本画像表示の他の例である。
【図１９】編集時に表示される画面例である。
【図２０】カメラのキー配置例である。
【図２１】モニタ２４で立体視表示が可能となる仕組みについて説明するための図である。
【符号の説明】
【０２１２】
１０…複眼デジタルカメラ、１２…カメラボディ、１４Ｌ、１４Ｒ…撮影レンズ、１６…ストロボ、１８…シャッタボタン、２０…モードスイッチ、２２…モードダイヤル、２４…モニタ、２４Ｌ…左眼用短冊画像表示領域、２４Ｒ…右眼用短冊画像表示領域、２４ａ…レンティキュラレンズ、２４ｃ…短冊集合画像表示領域、２６…ズームボタン、２８…十字ボタン、３０…ボタン、３２…ボタン、３４…ボタン、３６…マクロボタン、３６…切替ボタン、３６…切替ボタン、３８…検出部、４０…２Ｄ／３Ｄ表示切替部、４２…全体画像合成回路、４４…３Ｄ画像編集回路、４６…編集制御入力部、４８…２Ｄ／３Ｄ切替視点数切替部、５０…サムネイル画像作成回路、５２…カーソル作成回路、１１２…操作部、１１４…バス、１２４Ｌ、１２４Ｒ…ズームレンズ制御部、１２６Ｌ、１２６Ｒ…フォーカスレンズ制御部、１２８Ｌ、１２８Ｒ…制御部、１３０ＦＲ…フォーカスレンズ、１３０ＺＲ…ズームレンズ、１３４Ｌ、１３４Ｒ…撮像素子、１３８Ｌ、１３８Ｒ…アナログ信号処理部、１４０Ｌ、１４０Ｒ…変換器、１４１Ｌ、１４１Ｒ…画像入力コントローラ、１４２Ｌ、１４２Ｒ…デジタル信号処理部、１４２ａ…ホワイトバランスゲイン算出回路、１４２ｂ…オフセット補正回路、１４２ｃ…ゲイン補正回路、１４２ｄ…ガンマ補正回路、１４２ｅ…補間演算部、１４２ｆ…変換回路、１４２ｇ…ノイズフィルタ、１４２ｈ…輪郭補正回路、１４２ｉ…色差マトリクス回路、１４２ｊ…光源種別判定回路、１４４、１４６…検出部、１５０…画像生成部、１５２…圧縮・伸張処理部、１５４…メディア制御部、１５６…メモリカード、１５８…表示制御部、１６０…電源制御部、１６２…バッテリ、１６４…ストロボ制御部、１６６…検出回路、１６８…モード切替フラグ、Ｒ，Ｌ…撮像手段（撮像系）
【図１】
2008167066.tif 000003
【図２】
2008167066.tif 000004
【図３】
2008167066.tif 000005
【図４】
2008167066.tif 000006
【図５】
2008167066.tif 000007
【図６】
2008167066.tif 000008
【図７】
2008167066.tif 000009
【図８】
2008167066.tif 000010
【図９】
2008167066.tif 000011
【図１０】
2008167066.tif 000012
【図１１】
2008167066.tif 000013
【図１２】
2008167066.tif 000014
【図１３】
2008167066.tif 000015
【図１４】
2008167066.tif 000016
【図１５】
2008167066.tif 000017
【図１６】
2008167066.tif 000018
【図１７】
2008167066.tif 000019
【図１８】
2008167066.tif 000020
【図１９】
2008167066.tif 000021
【図２０】
2008167066.tif 000022
【図２１】
2008167066.tif 000023